(57)【要約】【課題】縦桟木が取り付けられた型枠を縦桟木の取付位置において支持することを可能とし、また、支持される型枠の位置の微調整のために固定位置を変更可能とする支持金具を提供すること。【解決手段】鉄筋コンクリート造の基礎の成型に用いられる、合板（１４）とこれに取り付けられた縦桟木（１６）とを有する型枠（１０）のための支持金具（１２）である。支持金具は、合板をその下縁部において受け入れ可能である溝（２２）を規定する底板部（１８）及び一対の側板部（２０）と、両側板部の一方に設けられ上下方向へ伸び、縦桟木の下端部の挿通を許す切欠き（２４）と、底板部（１８）に互いに間隔をおいて設けられた、ネジ釘が通される一対の孔であって孔の周縁に向けてのネジ釘の移動を許す一対の孔（２６）とを備える。【選択図】図１
2016108730.tif 000002
【特許請求の範囲】
【請求項１】
鉄筋コンクリート造の基礎の成型に用いられる、合板と該合板に取り付けられた縦桟木とを有する型枠のための支持金具であって、
前記型枠の合板をその下縁部において受け入れ可能である溝を規定する底板部及び該底板部からその上方へ伸びる互いに平行な一対の側板部とを備え、
また、両側板部の一方に設けられ上下方向へ伸びる、前記型枠の縦桟木の下端部の挿通を許す切欠きと、
前記底板部に互いに間隔をおいて設けられた、ネジ釘が通される一対の孔であって該孔の周縁に向けての前記ネジ釘の移動を許す一対の孔とを備える、支持金具。
【請求項２】
前記切欠きは、前記縦桟木の幅寸法の２倍を超える大きさの幅寸法を有する、請求項１に記載の支持金具。
【請求項３】
床板と該床板上の基礎梁とを有する基礎を構築するために前記基礎の周縁に沿って配置され前記基礎の床板の一部及び基礎梁の一部をそれぞれ構成する床板部及び基礎梁部であって前記基礎の基礎梁の幅寸法である梁幅より小さい厚さ寸法を有する基礎梁部を有するプレキャストコンクリート部材の前記床板部上に前記型枠を前記基礎梁部と平行に支持するために用いられる、請求項１又は２に記載の支持金具。
【発明の詳細な説明】
【技術分野】
【０００１】
本発明は、鉄筋コンクリート造の基礎の立ち上がり又は基礎梁の成型に用いられる型枠のための支持金具に関する。
【背景技術】
【０００２】
鉄筋コンクリート造の基礎の立ち上がり部の成型のために、前記基礎の床板（底板）上に互いに平行に支持された２つの型枠の間の空間にコンクリートが打設される。型枠を平行に支持するために用いられる支持金具の一例が後記特許文献１に示されている。この支持金具は、型枠をその下縁部において受け入れる溝を規定するコ字形板部と該コ字形板部に連なる、釘穴が設けられた平板部とを備える。前記支持金具はその平板部の釘穴を通して打ち込まれる釘により前記床板に固定され、該床板上に型枠を支持する。
【先行技術文献】
【特許文献】
【０００３】
【特許文献１】特開平７−１１９１５９号公報
【発明の開示】
【発明が解決しようとする課題】
【０００４】
ところで、前記基礎の立ち上がりや基礎梁を成型するために用いられる型枠として、合板と、該合板の補強のためにその裏面に取り付けられその両側縁に沿ってそれぞれ伸びる一対の縦桟木とを有する型枠がある。前記従来の支持金具にあってはそのコ字形板部の溝が型枠の合板の下縁部を受け入れるものであり、このため、前記型枠を前記縦桟木の取り付け箇所の下縁部において支持する必要があるときは、これを使用することができない。また、前記支持金具は、支持された型枠の位置の微調整のために、前記床板上においてその固定位置を変更可能であることが望ましい。
【０００５】
本発明の目的は、縦桟木が取り付けられた合板を有する型枠を前記縦桟木の取付位置において支持することを可能とする支持金具を提供することにある。また、本発明の他の目的は、支持される型枠の位置の微調整のためにその固定位置を変更可能である支持金具を提供することにある。
【課題を解決するための手段】
【０００６】
本発明は、鉄筋コンクリート造の基礎の立ち上がり又は基礎梁の成型に用いられる、合板と該合板に取り付けられた一対の縦桟木とを有する型枠のための支持金具に係る。前記支持金具は、前記型枠の合板をその下縁部において受け入れ可能である溝を規定する底板部及び該底板部からその上方へ伸びる互いに平行な一対の側板部とを備え、また、両側板部の一方に設けられ上下方向へ伸びる、前記型枠の縦桟木の下端部の挿通を許す切欠きと、前記底板部に互いに間隔をおいて設けられた、ネジ釘が通される一対の孔であって該孔の周縁に向けての前記ネジ釘の移動を許す一対の孔とを備える。
【０００７】
本発明に係る支持金具は、その底板部に設けられた一対の孔にそれぞれ通される一対のネジ釘を介して、前記型枠が配置される基礎の床板上に固定することができる。本発明によれば、底板部及び両側板部が前記型枠の合板の下縁部を受け入れる溝を規定し、また、両側板部の一方が前記縦桟木の下端部の挿通を許す切欠きを有することから、前記縦桟木の取付位置において前記型枠を支持することができる。また、各孔はこれに通される前記ネジ釘に対して前記孔の周縁に向けての移動を許すものであることから、前記基礎の床板に前記ネジ釘を緩くねじ込んだ状態で前記ネジ釘に対してこれに直角な方向へ前記支持金具を相対的に移動させることによりその固定位置を変更し、前記型枠の支持位置の微調整を行うことができる。
【０００８】
前記切欠きは、前記縦桟木の幅寸法の２倍を超える大きさの幅寸法を有するものとすることができる。これによれば、側面を接して配置された２つの型枠をこれらの側面の下方位置において支持することができる。
【０００９】
また、前記支持金具は、床板と該床板上の基礎梁とを有する基礎を構築するために前記基礎の周縁に沿って配置され前記基礎の床板の一部及び基礎梁の一部をそれぞれ構成する床板部及び基礎梁部であって前記基礎の基礎梁の幅寸法である梁幅より小さい厚さ寸法を有する基礎梁部を有するプレキャストコンクリート部材の前記床板部上に前記型枠を前記基礎梁部と平行に支持するために用いることができる。
【図面の簡単な説明】
【００１０】
【図１】（ａ）は側面を接して配置された２つの型枠の正面図であり、（ｂ）はこれらの型枠をその下方位置において支持可能である支持金具の斜視図である。
【図２】支持金具の平面図である。
【図３】プレキャストコンクリート部材の床板部上に固定され、該床板部上に型枠を支持する支持金具の縦断面図である。
【発明を実施するための形態】
【００１１】
図１を参照すると、鉄筋コンクリート造の基礎の床板上に形成される立ち上がり又は基礎梁（図示せず）を成型するために前記基礎の床板上に配置される２つの型枠１０（図１（ａ））と、これらの型枠１０を前記床板上に支持するために用いられる支持金具１２（図１（ｂ））とが示されている。
【００１２】
型枠１０は、矩形状の合板１４と、該合板にその補強のために取り付けられた一対の縦桟木１６とを有する。両縦桟木１６は、それぞれ、角材からなる。両角材は、それぞれ、合板１４の両板面の一方の側に配置、固定され合板１４の両側縁に沿って上下に伸びている。
【００１３】
図１（ｂ）及び図２に示すように、支持金具１２は底板部１８と、該底板部からその上方へ伸びる互いに平行な一対の側板部２０とを有する。底板部１８と両側板部２０とは、それぞれ、矩形状を呈し、型枠１０の合板１４をその下縁部１４ａにおいて受け入れ可能である細長い溝２２を規定する。溝２２は、好ましくは、合板１２の厚さ寸法よりわずかに大きい幅寸法を有する。
【００１４】
支持金具１２は、また、その両側板部２０の一方に設けられ上下方向へ伸びる切欠き２４を有する。切欠き２４は、型枠１０の縦桟木１６の下端部１６ａの挿通を許す大きさの幅寸法Ｄ（溝２２の伸長方向における長さ寸法）を有する。切欠き２４は、好ましくは、溝２２の伸長方向におけるほぼ中央部にあって矩形状を呈し、また、前記一方の側板部２０の上面からその下面まで伸び、底板部１８の一部分が切欠き２４を通して露出している。
【００１５】
これによれば、支持金具１２は、その切欠き２４が型枠１０の下端部の下方に位置するとき、その溝２２内に合板１４の下端部１４ａを受け入れ、また、切欠き２４内に縦桟木１６の下端部１６ａを受け入れる（図３参照）。これにより、型枠１０が支持金具１２に支持される。幅寸法Ｄは、好ましくは、縦桟木１６の幅寸法の２倍を超える大きさ有する。これによれば、側面を接して配置される２つの型枠１０（図１（ａ））を、これらの両側面下において、支持することができる。
【００１６】
支持金具１２は、その底板部１８に互いに間隔をおいて設けられた、ネジ釘（図示せず）が通される一対の孔２６（図２）を備える。両孔２６は、孔２６に通された前記ネジ釘の孔２６の周縁に向けての移動を可能とする大きさを有する。図示の例にあっては、各孔２６は全体に矩形の平面形状を有し、該矩形の長辺及び短辺が孔２６の前記周縁を規定する。これによれば、各孔２６に前記ネジ釘を通し、該ネジ釘をその頭部が支持金具１２の底板部１８に当接するまで、前記基礎の床板にねじ込むことにより、支持金具１２を前記床板に固定することができる。このとき、前記基礎の床板への前記ネジ釘のねじ込みを緩くした状態におくことにより、支持金具１２を、その孔２６の前記周縁が規定する範囲内において、前記ネジ釘に対して相対的に水平移動させることができ、これにより、前記床板上における型枠１０の支持位置の微調整を行うことができる。なお、前記ネジ釘の取り外しを容易にし、あるいはその緩み止めのために、前記ネジ釘をワッシャ（図示せず）に通した後、これを支持金具１２の孔２６に通してもよい。
【００１７】
支持金具１２は、また、鉄筋コンクリート製の床板及び該床板上の基礎梁からなる基礎を構築するために用いられるプレキャストコンクリート部材（ＰＣ部材）３０（図３）に取り付けて使用することができる。ＰＣ部材３０は、その複数個が前記基礎の周縁に沿って配置され前記基礎の床板の一部及び基礎梁の一部をそれぞれ構成する床板部３２及び基礎梁部３４を備える。基礎梁部３４は板状を呈し、前記基礎の基礎梁の幅寸法である梁幅より小さい厚さ寸法を有する。
【００１８】
図３を参照すると、複数のＰＣ部材３０の床板部３２と、該床板部が取り囲む空間に打設されたコンクリートＣとにより前記基礎の床板３６が形成されている。図３に示すところでは、床板３６上に前記基礎梁の一部を形成するため、ＰＣ部材３０の床板部３２上に、ＰＣ部材３０の基礎梁部３４と平行に、すなわち基礎梁部３４から前記基礎梁の梁幅を確保するのに必要な間隔をおいて、型枠１０が配置されている。型枠１０は、ＰＣ部材３０の床板部３２上に基礎梁部３４と平行に配置されかつ床板部３２に固定された支持部材１２により支持されている。この例においても、床板部３２上で支持部材１２を前記したように水平移動させることができ、これにより、基礎梁部３４と型枠１０との間に存する空間Ｓの間隔すなわち基礎梁部３４に対する該基礎梁の厚さ方向（図３における左右方向）に関する距離又は基礎梁部３４に対する該基礎梁の厚さ方向に直角な水平方向（図３における紙背方向）に関する距離の微調整を図ることができる。
【００１９】
合板型枠１０を支持した後、型枠１０とＰＣ部材３０の基礎梁部３４との間の空間Ｓにコンクリート（図示せず）を打設し、前記コンクリートの硬化後、型枠１０を撤去することにより、前記コンクリートと基礎梁部３４とからなる前記基礎梁の一部が形成される。
【符号の説明】
【００２０】
１０  型枠
１２  支持金具
１４、１６  型枠における合板及び縦桟木
１８、２０  支持金具の底板部及び側板部
２２  支持金具の溝
２４、２６  支持金具の切欠き及び孔
３０  プレキャストコンクリート部材（ＰＣ部材）
３２、３４  ＰＣ部材の床板部及び基礎梁部
３６  基礎の床板
Ｃ  コンクリート
【図１】
2016108730.tif 000003
【図２】
2016108730.tif 000004
【図３】
2016108730.tif 000005